(57)【要約】      （修正有）【課題】高解像度を表現する画素配列構造を採用しながら、データ駆動部の出力線数を減少させる有機電界発光表示装置を提供する。【解決手段】走査線及びデータ線の交差部に互いに異なる色の光を放出する第１副画素、第２副画素及び第３副画素が配列される画素部と、走査駆動部と、データ駆動部と、前記データ駆動部と前記データ線との間に接続されて、前記データ駆動部の出力線から供給されるそれぞれのデータ信号を複数のデータ線に分配して出力するためのデータ分配部とを含み、前記第１副画素及び前記第２副画素は同一の列ラインに交互に配列され、前記第３副画素は前記第１び前記第２副画素が配列された列ラインの隣接する列ラインに一列に配置され、前記第１び前記第２副画素が配列された列ラインには、前記第１副画素と前記データ分配部とを連結する第１データ線と、前記第２副画素と前記データ分配部とを連結する第２データ線が分離されて設計される。【選択図】図１
2011034050.tif 000002
【特許請求の範囲】
【請求項１】
走査線及びデータ線の交差部に位置して互いに異なる色の光を放出する第１副画素、第２副画素及び第３副画素が一定のパターンで反復的に配列される画素部と、
前記走査線に走査信号を供給するための走査駆動部と、
前記データ線にデータ信号を供給するためのデータ駆動部と、
前記データ駆動部と前記データ線との間に接続されて、前記データ駆動部の出力線から供給されるそれぞれのデータ信号を複数のデータ線に分配して出力するためのデータ分配部と
を含み、
前記第１副画素及び前記第２副画素は同一の列ラインに交互に配列され、前記第３副画素は前記第１副画素及び前記第２副画素が配列された列ラインに隣接する列ラインに一列に配置され、
前記第１副画素及び前記第２副画素が配列された列ラインには、前記第１副画素と前記データ分配部とを連結する第１データ線と、前記第２副画素と前記データ分配部とを連結する第２データ線が分離されて設計されることを特徴とする有機電界発光表示装置。
【請求項２】
前記第１副画素及び前記第２副画素のそれぞれは、互いに隣接する２行で前記第３副画素が配列された列ラインを中心に対角線方向に位置してチェックボード状に配列されることを特徴とする請求項１に記載の有機電界発光表示装置。
【請求項３】
前記第３副画素は、前記第１副画素及び前記第２副画素より水平軸に沿って更に小さな幅を有し、その数が前記第１副画素及び前記第２副画素のそれぞれの数の２倍だけ備えられることを特徴とする請求項１に記載の有機電界発光表示装置。
【請求項４】
前記一定のパターンは、連続する２本の行と連続する４本の列に配置される２つの前記第１副画素、２つの前記第２副画素及び４つの前記第３副画素で構成される副画素グループに設定され、
前記副画素グループは、
第１列に順次配列されたそれぞれ１つの第１副画素及び第２副画素と、
前記第１列に隣接する第２列に順次配列された２つの第３副画素と、
前記第２列に隣接する第３列に順次配列されたそれぞれ１つの第２副画素及び第１副画素と、
前記第３列に隣接する第４列に順次配列された２つの第３副画素と
を備えることを特徴とする請求項１に記載の有機電界発光表示装置。
【請求項５】
前記第３副画素は、水平軸に沿って前記第１副画素及び前記第２副画素の幅の半分の幅を有する分離された形態を有することを特徴とする請求項４に記載の有機電界発光表示装置。
【請求項６】
前記第１副画素及び前記第２副画素はそれぞれ赤色副画素及び青色副画素に設定され、  前記第３副画素は緑色副画素に設定されることを特徴とする請求項１に記載の有機電界発光表示装置。
【請求項７】
前記データ分配部は、
第１クロック信号が供給される期間に前記データ駆動部の出力線のそれぞれを前記第３副画素のデータ線に連結する複数の第１トランジスタと、
第２クロック信号が供給される期間に前記データ駆動部の出力線のそれぞれを奇数番目の行に位置する第１及び第２副画素のデータ線に連結する複数の第２トランジスタと、
第３クロック信号が供給される期間に前記データ駆動部の出力線のそれぞれを偶数番目の行に位置する第１及び第２副画素のデータ線に連結する複数の第３トランジスタと
を含み、
前記第１クロック信号、前記第２クロック信号及び前記第３クロック信号は互いに重ならない異なる期間に供給されることを特徴とする請求項１に記載の有機電界発光表示装置。
【請求項８】
前記第１クロック信号は前記走査線に順次走査信号が供給されるそれぞれの水平期間毎に前記データ分配部に供給され、
前記第２クロック信号と前記第３クロック信号は前記水平期間単位で交互に前記データ分配部に供給されることを特徴とする請求項７に記載の有機電界発光表示装置。
【請求項９】
前記走査線のうち、第ｉ-１（ｉは自然数）番目の走査線に走査信号が供給される期間と第ｉ番目の走査線に走査信号が供給される期間との間に前記第１クロック信号と前記第２クロック信号が順次供給され、
前記第１クロック信号と前記第２クロック信号が供給される水平期間に続く後続する水平期間には、前記第ｉ番目の走査線に走査信号が供給される期間と第ｉ+１番目の走査線に走査信号が供給される期間との間に前記第１クロック信号と前記第３クロック信号が順次供給されることを特徴とする請求項８に記載の有機電界発光表示装置。
【請求項１０】
前記データ線は、前記第１副画素と前記データ分配部を列ライン単位で連結する複数の第１データ線と、前記第２副画素と前記データ分配部を列ライン単位で連結する複数の第２データ線と、前記第３副画素と前記データ分配部を列ライン単位で連結する複数の第３データ線とを含むことを特徴とする請求項１に記載の有機電界発光表示装置。
【請求項１１】
前記第１データ線、前記第２データ線及び前記第３データ線の数は同一に設定されることを特徴とする請求項１０に記載の有機電界発光表示装置。
【請求項１２】
前記画素部全般的に、前記第１副画素及び前記第２副画素はそれぞれ解像度の半数だけ備えられ、前記第３副画素は解像度数だけ備えられることを特徴とする請求項１に記載の有機電界発光表示装置。
【発明の詳細な説明】
【技術分野】
【０００１】
本発明は有機電界発光表示装置に関し、特に、高解像度を表現する画素配列構造を採用しながら、データ分配部によりデータ駆動部の出力線数を減少させることができるようにした有機電界発光表示装置に関する。
【背景技術】
【０００２】
有機電界発光表示装置は自発光素子の有機発光ダイオードを用いて映像を表示するものであって、輝度及び色純度に優れ、次世代表示装置として注目されている。
このような有機電界発光表示装置は赤色副画素、緑色副画素及び青色副画素を用いて多数の画素を構成し、これを通じて多様なカラー映像を表示する。
色を知覚することは同化（ａｓＳｉｍｉｌａｔｉｏｎ）又はｔｈｅ Ｖｏｎ Ｂｅｚｏｌｄカラー混合効果と呼ばれる過程により影響を受ける。
【０００３】
従って、これを効率的に用いて高解像度の表現能力を有することができるように画素配列構造を最適化する必要がある。
このために、１つの列ラインに互いに異なる色の光を放出する第１副画素及び第２副画素が交互に配置される構造などが採用され得る。
【０００４】
但し、この場合、データ駆動部では１つのデータ線に第１色のデータ及び第２色のデータを交互に供給しなければならないため、データ分配部を適用し難いという問題がある。  データ分配部を適用せずにデータ駆動部とデータ線を直接連結すれば、データ駆動部の出力線数が増加してデータ駆動部を含む駆動ＩＣの開発に困難さがあり、駆動ＩＣの出力線の配置に必要な設計空間が増加してデッドスペースが増加するという問題がある。
【先行技術文献】
【特許文献】
【０００５】
【特許文献１】大韓民国特許公開第２００８−０００２３９５号
【特許文献２】大韓民国特許公開第２００９−０００６６１５号
【発明の概要】
【発明が解決しようとする課題】
【０００６】
そこで、本発明は上記事情に鑑みてなされたものであって、その目的は、高解像度を表現する画素配列構造を採用しながら、データ分配部によりデータ駆動部の出力線数を減少させることができるようにした有機電界発光表示装置を提供することにある。
【課題を解決するための手段】
【０００７】
このような目的を達成するために、本発明は走査線及びデータ線の交差部に位置して互いに異なる色の光を放出する第１副画素、第２副画素及び第３副画素が一定のパターンで反復的に配列される画素部と、前記走査線に走査信号を供給するための走査駆動部と、前記データ線にデータ信号を供給するためのデータ駆動部と、前記データ駆動部と前記データ線との間に接続されて、前記データ駆動部の出力線から供給されるそれぞれのデータ信号を複数のデータ線に分配して出力するためのデータ分配部とを含み、前記第１副画素及び前記第２副画素は同一の列ラインに交互に配列され、前記第３副画素は前記第１副画素及び前記第２副画素が配列された列ラインに隣接する列ラインに一列に配置され、前記第１副画素及び前記第２副画素が配列された列ラインには、前記第１副画素と前記データ分配部とを連結する第１データ線と、前記第２副画素と前記データ分配部とを連結する第２データ線が分離されて設計されることを特徴とする有機電界発光表示装置を提供する。
【０００８】
ここで、前記第１副画素及び前記第２副画素のそれぞれは、互いに隣接する２行で前記第３副画素が配列された列ラインを中心に対角線方向に位置してチェックボード状に配列され得る。
また、前記第３副画素は、前記第１副画素及び前記第２副画素より水平軸（行方向）に沿って更に小さな幅を有し、その数が前記第１副画素及び前記第２副画素のそれぞれの数の２倍だけ備えられ得る。
【０００９】
更に、前記一定のパターンは、連続する２本の行と連続する４本の列に配置される２つの前記第１副画素、２つの前記第２副画素及び４つの前記第３副画素で構成される副画素グループに設定され、前記副画素グループは、第１列に順次配列されたそれぞれ１つの第１副画素及び第２副画素と、前記第１列に隣接する第２列に順次配列された２つの第３副画素と、前記第２列に隣接する第３列に順次配列されたそれぞれ１つの第２副画素及び第１副画素と、前記第３列に隣接する第４列に順次配列された２つの第３副画素とを備えることができる。
【００１０】
また、前記第１副画素及び前記第２副画素はそれぞれ赤色副画素及び青色副画素に設定され、前記第３副画素は緑色副画素に設定され得る。
更に、前記データ分配部は、第１クロック信号が供給される期間に前記データ駆動部の出力線のそれぞれを前記第３副画素のデータ線に連結する複数の第１トランジスタと、第２クロック信号が供給される期間に前記データ駆動部の出力線のそれぞれを奇数番目の行に位置する第１及び第２副画素のデータ線に連結する複数の第２トランジスタと、第３クロック信号が供給される期間に前記データ駆動部の出力線のそれぞれを偶数番目の行に位置する第１及び第２副画素のデータ線に連結する複数の第３トランジスタとを含み、前記第１クロック信号、前記第２クロック信号及び前記第３クロック信号は互いに重ならない異なる期間に供給され得る。
【００１１】
ここで、前記第１クロック信号は前記走査線に順次走査信号が供給されるそれぞれの水平期間毎に前記データ分配部に供給され、前記第２クロック信号と前記第３クロック信号は前記水平期間単位で交互に前記データ分配部に供給され得る。
【００１２】
また、前記走査線のうち第ｉ-１（ｉは自然数）番目の走査線に走査信号が供給される期間と第ｉ番目の走査線に走査信号が供給される期間との間に前記第１クロック信号と前記第２クロック信号が順次供給され、前記第１クロック信号と前記第２クロック信号が供給される水平期間に続く後続する水平期間には前記第ｉ番目の走査線に走査信号が供給される期間と第ｉ+１番目の走査線に走査信号が供給される期間との間に前記第１クロック信号と前記第３クロック信号が順次供給され得る。
【００１３】
更に、前記データ線は、前記第１副画素と前記データ分配部を列ライン単位で連結する複数の第１データ線と、前記第２副画素と前記データ分配部を列ライン単位で連結する複数の第２データ線と、前記第３副画素と前記データ分配部を列ライン単位で連結する複数の第３データ線とを含むことができる。
ここで、前記第１データ線、前記第２データ線及び前記第３データ線の数は同一に設定され得る。
【００１４】
また、前記画素部全般的に、前記第１副画素及び前記第２副画素はそれぞれ解像度に対応する画素数の半数だけ備えられ、前記第３副画素は解像度に対応する画素数だけ備えられることができる。
【発明の効果】
【００１５】
このような本発明によれば、第１副画素及び第２副画素はチェックボード状をなすように配列し、第３副画素は第１副画素及び第２副画素が配置される列ラインの間に分離された形態で配列する画素配列構造を採用することで、高解像度を表現できるという効果を奏する。
【００１６】
そして、同一の列ラインに位置する第１副画素及び第２副画素が１つのデータ線を共有せず、それぞれ分離設計された第１データ線及び第２データ線に連結するようにしてデータ分配部を適用することで、駆動ＩＣの開発を容易にし、データ駆動部の出力線数を減少させることができる。
【図面の簡単な説明】
【００１７】
【図１】本発明の実施形態に係る有機電界発光表示装置を概略的に示す平面図である。
【図２】図１に示した副画素グループを示す拡大平面図である。
【図３】図１に示した有機電界発光表示装置の駆動方法を説明する波形図である。
【発明を実施するための形態】
【００１８】
以下、添付する図面を参照して本発明の実施形態を更に詳細に説明する。
図１は、本発明の実施形態に係る有機電界発光表示装置を概略的に示す平面図である。そして、図２は、図１に示した副画素グループを示す拡大平面図である。
【００１９】
図１及び図２を参照すれば、本発明の実施形態に係る有機電界発光表示装置は、画素部１００、走査駆動部２００、データ駆動部３００、データ分配部４００及びタイミング制御部５００を含む。
【００２０】
画素部１００は、走査線Ｓ１〜Ｓｎ及びデータ線Ｄ１〜Ｄ３ｍの交差部に位置し、互いに異なる色の光を放出する第１副画素Ｒ、第２副画素Ｂ及び第３副画素Ｇを含む。
例えば、第１副画素Ｒは赤色の光を放出する赤色副画素に設定され、第２副画素Ｂは青色の光を放出する青色副画素に設定され、第３副画素Ｇは緑色の光を放出する緑色副画素に設定され得る。
【００２１】
但し、本発明において、第１副画素Ｒ、第２副画素Ｂ及び第３副画素Ｇは、それぞれ２つずつの第１副画素Ｒ及び第２副画素Ｂと４つの第３副画素Ｇで構成される副画素グループ１１０単位の一定のパターンで画素部１００内に反復的に配列される。
特に、第１副画素Ｒ及び第２副画素Ｂは同一の列ラインに交互に配列され、第３副画素Ｇは第１副画素Ｒ及び第２副画素Ｂが配列された列ラインに隣接した列ラインに一列に配置される。
【００２２】
このとき、第１副画素Ｒ及び第２副画素Ｂは、第３副画素Ｇが配列された列ラインを中心に、第１副画素Ｒ同士、そして第２副画素Ｂ同士で対角線方向に位置してチェックボーダ（チェス盤）状に配列される。即ち、第１副画素Ｒ及び第２副画素Ｂのそれぞれは、互いに隣接する２つの行で同じ列に反復的に配置されないように交互に配置される。
【００２３】
そして、第３副画素Ｇは、第１副画素Ｒ及び第２副画素Ｂより水平軸（行方向）に沿って更に小さな幅を有し、その数が第１副画素Ｒ及び第２副画素Ｂそれぞれの数の２倍だけ備えられ得る。
例えば、第３副画素Ｇは水平軸（行方向）に沿って第１副画素Ｒ及び第２副画素Ｂの幅の半分の幅を有するように形成され、その代わりに、その数が第１副画素Ｒ及び第２副画素Ｂの数の２倍だけ備えられる「分離された」形態を有し得る。このような「分離された」形態の第３副画素Ｇは解像度に敏感な色の副画素、例えば、緑色副画素に設定されて高品質の画像が表示されるようにすることが好ましい。
【００２４】
１つの副画素グループ１１０内における第１副画素Ｒ、第２副画素Ｂ及び第３副画素Ｇの配置を更に詳細に説明すれば、副画素グループ１１０は図２に示すように、連続する２本の行と連続する４本の列に配置される２つの第１副画素Ｒ、２つの第２副画素Ｂ及び４つの第３副画素Ｇで構成される。
【００２５】
更に具体的に、隣接する行において、第１列には１つの第１副画素Ｒと１つの第２副画素Ｂが順次配列され、第１列に隣接する第２列には２つの分離された第３副画素Ｇが順次配列される。そして、第２列に隣接する第３列には１つの第２副画素Ｂと１つの第１副画素Ｒが順次配列され、第３列に隣接する第４列には２つの第３副画素Ｇが順次配列される。
【００２６】
前述したような画素配列構造を採用すれば、「サブピクセルレンダリング（ｓｕｂｐｉｘｅｌ ｒｅｎｄｅｒｉｎｇ）」技法により画素部１００内に備えられる副画素Ｒ、Ｇ、Ｂの数に対して高解像度を表現できるようになる。即ち、分離された第３副画素Ｇの場合には解像度に対応する画素数の数だけ備えられるが、これを除いた第１副画素Ｒ及び第２副画素Ｂは解像度に対応する画素数の半数だけ備えられることができる。
【００２７】
但し、本発明において、同一の列ラインに位置する第１副画素Ｒ及び第２副画素Ｂは１つのデータ線を共有しない。即ち、列ライン単位で第１副画素Ｒと連結される第１データ線と、列ライン単位で第２副画素Ｂと連結される第２データ線はそれぞれ分離されて設計される。
【００２８】
即ち、データ線Ｄは、第１副画素Ｒとデータ分配部４００とを列ライン単位で連結する複数の第１データ線と、第２副画素Ｂとデータ分配部４００とを列ライン単位で連結する複数の第２データ線と、第３副画素Ｇとデータ分配部４００とを列ライン単位で連結する複数の第３データ線とを含んで構成される。従って、第１データ線、第２データ線及び第３データ線の数は同一に設定される。
【００２９】
前述したように、同一の列ラインに位置する第１副画素Ｒ及び第２副画素Ｂが１つのデータ線を共有せず、それぞれ分離設計された第１データ線及び第２データ線に連結されると、データ駆動部３００との間にデータ分配部４００を採用できるようになる。これにより、データ駆動部３００の出力線数を減少させ、データ駆動部３００を含む駆動ＩＣの開発を容易にできる。
【００３０】
走査駆動部２００は、タイミング制御部５００から供給される走査制御信号ＳＣＳに対応して走査信号を生成する。走査駆動部２００で生成された走査信号は走査線Ｓ１〜Ｓｎに順次供給される。
データ駆動部３００はタイミング制御部５００から供給されるデータＤａｔａ及びデータ制御信号ＤＣＳに対応してデータ信号を生成する。データ駆動部３００で生成されたデータ信号はデータ駆動部３００の出力線Ｏ１〜Ｏｍを通じてデータ分配部４００に供給される。
【００３１】
データ分配部４００は、データ駆動部３００とデータ線Ｄ１〜Ｄ３ｍとの間に接続される。このようなデータ分配部４００はタイミング制御部５００から供給されるクロック信号ＣＬＡ、ＣＬＢ、ＣＬＣに対応してデータ駆動部３００の出力線Ｏ１〜Ｏｍから供給されるそれぞれのデータ信号を複数のデータ線Ｄ１〜Ｄ３ｍに分配して出力する。
【００３２】
例えば、データ分配部４００はデータ駆動部３００の出力線Ｏ１〜Ｏｍのそれぞれに出力されるデータ信号を第１データ線、第２データ線及び第３データ線に分配して出力できる。
【００３３】
このために、データ分配部４００は複数の第１トランジスタＭＡ１、ＭＡ２、．．．、ＭＡｍ、第２トランジスタＭＢ１、ＭＢ２、．．．、ＭＢｍ及び第３トランジスタＭＣ１、ＭＣ２、．．．、ＭＣｍを備える。
第１トランジスタＭＡ１、ＭＡ２、．．．、ＭＡｍは、データ駆動部３００の出力線Ｏ１〜Ｏｍのそれぞれと第３副画素Ｇの第３データ線との間に接続される。そして、第１トランジスタＭＡ１、ＭＡ２、．．．、ＭＡｍのゲート電極は、タイミング制御部５００から供給される第１クロック信号ＣＬＡの入力ラインと接続される。
【００３４】
このような第１トランジスタＭＡ１、ＭＡ２、．．．、ＭＡｍは、第１クロック信号ＣＬＡが供給される期間にターンオンされてデータ駆動部３００の出力線Ｏ１〜Ｏｍのそれぞれを第３副画素Ｇの第３データ線に連結する。
第２トランジスタＭＢ１、ＭＢ２、．．．、ＭＢｍは、データ駆動部３００の出力線Ｏ１〜Ｏｍのそれぞれと奇数番目の行に位置する第１及び第２副画素Ｒ、Ｂの第１及び第２データ線の間に接続される。そして、第２トランジスタＭＢ１、ＭＢ２、．．．、ＭＢｍのゲート電極は、タイミング制御部５００から供給される第２クロック信号ＣＬＢの入力ラインと接続される。
【００３５】
このような第２トランジスタＭＢ１、ＭＢ２、．．．、ＭＢｍは、第２クロック信号ＣＬＢが供給される期間にターンオンされてデータ駆動部３００の出力線Ｏ１〜Ｏｍのそれぞれを奇数番目の行に位置する第１及び第２副画素Ｒ、Ｂの第１及び第２データ線に連結する。
【００３６】
第３トランジスタＭＣ１、ＭＣ２、．．．、ＭＣｍは、データ駆動部３００の出力線Ｏ１〜Ｏｍのそれぞれと偶数番目の行に位置する第１及び第２副画素Ｒ、Ｂの第１及び第２データ線の間に接続される。そして、第３トランジスタＭＣ１、ＭＣ２、．．．、ＭＣｍのゲート電極は、タイミング制御部５００から供給される第３クロック信号ＣＬＣの入力ラインと接続される。
このような第３トランジスタＭＣ１、ＭＣ２、．．．、ＭＣｍは、第３クロック信号ＣＬＣが供給される期間にターンオンされてデータ駆動部３００の出力線Ｏ１〜Ｏｍのそれぞれを偶数番目の行に位置する第１及び第２副画素Ｒ、Ｂの第１及び第２データ線に連結する。
【００３７】
ここで、第１トランジスタＭＡ１、ＭＡ２、．．．、ＭＡｍをターンオンさせる第１クロック信号ＣＬＡ、第２トランジスタＭＢ１、ＭＢ２、．．．、ＭＢｍをターンオンさせる第２クロック信号ＣＬＢ及び第３トランジスタＭＣ１、ＭＣ２、．．．、ＭＣｍをターンオンさせる第３クロック信号ＣＬＣは互いに重ならない異なる期間に供給される。
【００３８】
但し、第１クロック信号ＣＬＡは走査線Ｓ１〜Ｓｎに順次走査信号が供給されるそれぞれの水平期間毎にデータ分配部４００に供給され、第２クロック信号ＣＬＢ及び第３クロック信号ＣＬＣは水平期間単位で交互にデータ分配部４００に供給される。即ち、第２及び第３クロック信号ＣＬＢ、ＣＬＣの周期は第１クロック信号ＣＬＡの周期の２倍に設定され得る。
【００３９】
例えば、第ｉ-１（ｉは自然数）番目の走査線Ｓｉ-１に走査信号が供給される期間と第ｉ番目の走査線Ｓｉに走査信号が供給される期間との間には第１クロック信号ＣＬＡと第２クロック信号ＣＬＢが順次供給され得る。そして、第１クロック信号ＣＬＡと第２クロック信号ＣＬＢが供給される水平期間に続く後続する水平期間には、第ｉ番目の走査線Ｓｉに走査信号が供給される期間と第ｉ+１番目の走査線Ｓｉ+１に走査信号が供給される期間との間に第１クロック信号ＣＬＡと第３クロック信号ＣＬＣが順次供給され得る。
【００４０】
これと関連したデータ分配部４００の動作についての更に詳細な説明は後述する。
タイミング制御部５００は外部から供給される同期信号に対応して走査駆動制御信号ＳＣＳ、データ駆動制御信号ＤＣＳ及びデータ分配部のクロック信号ＣＬＡ、ＣＬＢ、ＣＬＣを生成する。
【００４１】
タイミング制御部５００で生成された走査駆動制御信号ＳＣＳ、データ駆動制御信号ＤＣＳ及びデータ分配部のクロック信号ＣＬＡ、ＣＬＢ、ＣＬＣは、それぞれ走査駆動部２００、データ駆動部３００及びデータ分配部４００に供給される。また、タイミング制御部５００は、外部から供給されるデータＤａｔａをデータ駆動部３００に供給する。
【００４２】
このような本発明によれば、第１副画素Ｒ及び第２副画素Ｂはチェックボード状をなすように配列し、第３副画素Ｇは第１副画素Ｒ及び第２副画素Ｂが配置される列ラインの間に分離された形態で配列する画素配列構造を採用することで、高解像度を表現できる。
【００４３】
また、同一の列ラインに位置する第１副画素Ｒ及び第２副画素Ｂが１つのデータ線を共有せず、それぞれ分離設計された第１データ線及び第２データ線に連結されるようにしてデータ分配部４００を適用することで、駆動ＩＣの開発を容易にし、共用化範囲を広げるのはもちろん、データ駆動部４００の出力線数を減少させることができる。また、データ駆動部４００の出力線数が減少することによって、パネル下端部のデッドスペースが共に減少するという効果もある。
【００４４】
一方、本実施形態では１つの第１副画素Ｒ又は第２副画素Ｂの面積が１つの分離された第３副画素Ｇ面積の２倍となるように示したが、本発明は必ずしもこれに限定されるものではない。即ち、第１副画素Ｒ、第２副画素Ｂ及び第３副画素Ｇの面積は、材料の寿命などを考慮して変更実施し得る。
【００４５】
また、本実施形態ではデータ分配部４００を３：１ＤＥＭＵＸ（逆多重）に仮定して説明するが、本発明はこれに限定されるものではなく、データ分配部４００は６：１ＤＥＭＵＸ、９：１ＤＥＭＵＸに多様に変更し得るのはもちろんである。
【００４６】
図３は、図１に示した有機電界発光表示装置の駆動方法を説明する波形図である。便宜上、図３では走査信号のうち連続する行に順次供給される２つの走査信号のみを示す。
図３を参照すれば、データ分配部のクロック信号ＣＬＡ、ＣＬＢ、ＣＬＣは走査信号が供給される期間の間に供給され、第１クロック信号ＣＬＡは走査信号が供給されるそれぞれの水平期間毎に供給され、第２クロック信号ＣＬＢ及び第３クロック信号ＣＬＣは水平期間単位で交互に供給される。
【００４７】
ここで、走査信号はそれぞれの水平期間毎に走査線に順次供給される。
例えば、第ｉ-１（ｉは自然数）番目行の画素（或いは、副画素）を選択するための水平期間には第ｉ-１番目の走査線Ｓｉ-１に走査信号が供給され、後続する水平期間、即ち、第ｉ番目の行の画素を選択するための水平期間には第ｉ番目の走査線Ｓｉに走査信号が供給される。
【００４８】
そして、第ｉ-１番目の走査線Ｓｉ-１に走査信号が供給される期間と第ｉ番目の走査線Ｓｉに走査信号が供給される期間との間には、第ｉ番目の走査信号により選択されてデータ信号の供給を受ける画素のデータ線を先に充電するための第１クロック信号ＣＬＡと第２又は第３クロック信号ＣＬＢ、ＣＬＣがデータ分配部４００に供給される。
【００４９】
例えば、ｉが奇数であると仮定する場合、第ｉ-１番目の行の走査線Ｓｉに走査信号が供給された後に、データ分配部４００に第１クロック信号ＣＬＡと第２クロック信号ＣＬＢが順次供給される。このとき、第３クロック信号ＣＬＣはデータ分配部４００の第３トランジスタＭＣ１、ＭＣ２、．．．、ＭＣｍがターンオフ状態を維持できるようにするハイレベル状態を維持する。
【００５０】
第１クロック信号ＣＬＡが供給されると、第３副画素Ｇの第３データ線がデータ駆動部の出力線Ｏ１〜Ｏｍと連結されてデータ信号の供給を受ける。このとき、データ駆動部３００は第ｉ番目の行の第３副画素Ｇに供給されるデータ信号を出力し、第３副画素Ｇの第３データ線は第ｉ番目の行の第３副画素Ｇのデータ信号に先に充電される。
【００５１】
そして、第２クロック信号ＣＬＢが供給されると、奇数番目の行に位置する第１及び第２副画素Ｒ、Ｂの第１及び第２データ線がデータ駆動部の出力線Ｏ１〜Ｏｍと連結されてデータ信号の供給を受ける。このとき、データ駆動部３００は第ｉ番目の行の第１及び第２副画素Ｒ、Ｂに供給されるデータ信号を出力し、奇数番目の行の第１及び第２副画素Ｒ、Ｂの第１及び第２データ線はそれぞれ第ｉ番目の行の第１及び第２副画素Ｒ、Ｂのデータ信号に先に充電される。
【００５２】
その後、第ｉ番目の走査線Ｓｉに走査信号が供給されると、第１〜第３データ線に先に充電されていたデータ信号がそれぞれ第ｉ番目の行に位置する第１〜第３副画素Ｒ、Ｂ、Ｇに供給される。
一方、第ｉ番目の走査線Ｓｉに走査信号が供給された後は、データ分配部４００に第１クロック信号ＣＬＡと第３クロック信号ＣＬＣが順次供給される。このとき、第２クロック信号ＣＬＢはデータ分配部４００の第２トランジスタＭＢ１、ＭＢ２、．．．、ＭＢｍがターンオフ状態を維持できるようにするハイレベル状態を維持する。
【００５３】
第１クロック信号ＣＬＡが供給されると、第３副画素Ｇの第３データ線がデータ駆動部の出力線Ｏ１〜Ｏｍと連結されてデータ信号の供給を受ける。このとき、データ駆動部３００は第ｉ+１番目の行の第３副画素Ｇに供給されるデータ信号を出力し、第３副画素Ｇの第３データ線は第ｉ+１番目の行の第３副画素Ｇのデータ信号に先に充電される。
【００５４】
そして、第３クロック信号ＣＬＣが供給されると、偶数番目の行に位置する第１及び第２副画素Ｒ、Ｂの第１及び第２データ線がデータ駆動部の出力線Ｏ１〜Ｏｍと連結されてデータ信号の供給を受ける。このとき、データ駆動部３００は第ｉ+１番目の行の第１及び第２副画素Ｒ、Ｂに供給されるデータ信号を出力し、偶数番目の行の第１及び第２副画素Ｒ、Ｂの第１及び第２データ線はそれぞれ第ｉ+１番目の行の第１及び第２副画素Ｒ、Ｂのデータ信号に先に充電される。
【００５５】
一方、便宜上、図示は省略したが、その後、第ｉ+１番目の走査線Ｓｉ+１に走査信号が供給されると、第１〜第３データ線に先に充電されていたデータ信号がそれぞれ第ｉ+１番目の行に位置する第１〜第３副画素Ｒ、Ｂ、Ｇに供給される。
前述したような方式で、各水平期間に順次第１〜第３副画素Ｒ、Ｇ、Ｂにデータ信号が供給される。
【００５６】
そうすると、それぞれの副画素Ｒ、Ｂ、Ｇは自身に供給されたデータ信号を格納し、これに対応する輝度で発光することで、画素部１００で映像が表示される。
以上説明したように、本発明の最も好ましい実施の形態について説明したが、本発明は、  上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００５７】
１００  画素部
２００  走査駆動部
３００  データ駆動部
４００  データ分配部
５００  タイミング制御部
【図１】
2011034050.tif 000003
【図２】
2011034050.tif 000004
【図３】
2011034050.tif 000005